(57)【特許請求の範囲】
【請求項１】
通信端末に送信すべきデータをゲートウェイから受信する第１データ受信部と、
第１無線送信部および第２無線送信部の一方を用いて前記データを前記通信端末に送信するか、前記第１無線送信部および前記第２無線送信部の双方を用いて前記データを前記通信端末に送信するかを決定する第１送信方法決定部と、
前記第１無線送信部および前記第２無線送信部の双方を用いて前記データを前記通信端末に送信することが決定された場合に、前記第１無線送信部および前記第２無線送信部から前記通信端末に対して同時に、前記データを示す情報を送信させる第１同期制御部と
を有し、前記第１無線送信部に接続されている第１付加装置と、
前記通信端末に送信すべきデータを前記ゲートウェイから受信する第２データ受信部と、
前記第１無線送信部および前記第２無線送信部の一方を用いて前記データを前記通信端末に送信するか、前記第１無線送信部および前記第２無線送信部の双方を用いて前記データを前記通信端末に送信するかを決定する第２送信方法決定部と、
前記第１無線送信部および前記第２無線送信部の双方を用いて前記データを前記通信端末に送信することが決定された場合に、前記第１無線送信部および前記第２無線送信部から前記通信端末に対して同時に、前記データを示す情報を送信させる第２同期制御部と
を有し、前記第２無線送信部に接続されている第２付加装置と
を備え、
前記第１同期制御部は、前記第１無線送信部および前記第２無線送信部の双方を用いて前記データを前記通信端末に送信することが決定された場合に、前記データを示す情報を前記第１無線送信部および前記第２付加装置に送信して、前記第１無線送信部および前記第２無線送信部から前記通信端末に対して同時に、前記データを示す情報を送信させ、
前記第１付加装置の入出力インタフェースの仕様は、前記ゲートウェイと前記第１無線送信部との接続に用いられる入出力インタフェースの仕様と同一であり、
前記第２付加装置の入出力インタフェースの仕様は、前記ゲートウェイと前記第２無線送信部との接続に用いられる入出力インタフェースの仕様と同一である
通信制御システム。
【請求項２】
前記第１付加装置は、前記第１無線送信部および前記第２無線送信部のそれぞれが前記通信端末にデータ送信可能な状態にあるかを判断する送信可否判断部をさらに有し、
前記第１送信方法決定部は、前記送信可否判断部の判断結果に基づいて、前記第１無線送信部および前記第２無線送信部の一方を用いて前記データを前記通信端末に送信するか、前記第１無線送信部および前記第２無線送信部の双方を用いて前記データを前記通信端末に送信するかを決定する請求項１に記載の通信制御システム。
【請求項３】
前記第１付加装置は、前記第１無線送信部および前記第２無線送信部の双方を用いて前記通信端末に前記データを送信することが決定された場合に、前記第１無線送信部および前記第２無線送信部の双方に前記データを送信するデータ送信部
をさらに有し、
前記第１同期制御部は、前記第１無線送信部および前記第２無線送信部から前記通信端末に対して同時に、前記データを送信させる請求項２に記載の通信制御システム。
【請求項４】
前記第１付加装置は、
前記第１無線送信部および前記第２無線送信部の双方を用いて前記通信端末に前記データを送信することが決定された場合に、前記データを符号化して第１符号化データおよび第２符号化データを生成する符号化データ生成部と、
前記第１無線送信部に前記第１符号化データを送信し、前記第２無線送信部に前記第２符号化データを送信するデータ送信部と
をさらに有し、
前記第１同期制御部は、前記第１無線送信部および前記第２無線送信部から前記通信端末に対して同時に、前記第１符号化データおよび前記第２符号化データを送信させる請求項２に記載の通信制御システム。
【請求項５】
前記第１送信方法決定部が、前記第１無線送信部および前記第２無線送信部の双方を用いて前記データを前記通信端末に送信することを決定した場合に、
前記第１同期制御部は、前記データを示す情報に送信タイミングを示す情報を付加して、前記第２付加装置に送信し、前記第１無線送信部から前記通信端末に対して、前記データを示す情報を前記送信タイミングに送信させ、
前記第２同期制御部は、前記第２無線送信部から前記通信端末に対して、前記第１付加装置から受信した前記データを示す情報を前記送信タイミングに送信させる請求項１から４のいずれか１項に記載の通信制御システム。
【請求項６】
前記第１付加装置は、
前記第１付加装置から前記第２付加装置までの伝送遅延時間を測定する伝送遅延時間測定部と、
前記伝送遅延時間に基づいて、前記第１無線送信部および前記第２無線送信部が、前記データを示す情報を同時に送信可能な前記送信タイミングを算出する送信タイミング算出部と
をさらに有する請求項５に記載の通信制御システム。
【請求項７】
コンピュータを、請求項１から６のいずれか１項に記載の通信制御システムとして機能させるためのプログラム。
【請求項８】
ゲートウェイと第１無線送信部とに接続されている第１付加装置が、通信端末に送信すべきデータを前記ゲートウェイから受信する第１データ受信段階と、
前記第１付加装置が、前記第１無線送信部および第２無線送信部の一方を用いて前記データを前記通信端末に送信するか、前記第１無線送信部および前記第２無線送信部の双方を用いて前記データを前記通信端末に送信するかを決定する第１送信方法決定段階と、
前記第１付加装置が、前記第１無線送信部および前記第２無線送信部の双方を用いて前記データを前記通信端末に送信することが決定された場合に、前記第１無線送信部および前記第２無線送信部から前記通信端末に対して同時に、前記データを示す情報を送信させる第１同期制御段階と、
前記ゲートウェイと前記第２無線送信部とに接続されている第２付加装置が、前記通信端末に送信すべきデータを前記ゲートウェイから受信する第２データ受信段階と、
前記第２付加装置が、前記第１無線送信部および前記第２無線送信部の一方を用いて前記データを前記通信端末に送信するか、前記第１無線送信部および前記第２無線送信部の双方を用いて前記データを前記通信端末に送信するかを決定する第２送信方法決定段階と、
前記第２付加装置が、前記第１無線送信部および前記第２無線送信部の双方を用いて前記データを前記通信端末に送信することが決定された場合に、前記第１無線送信部および前記第２無線送信部から前記通信端末に対して同時に、前記データを示す情報を送信させる第２同期制御段階と
を備え、
前記第１同期制御段階は、前記第１無線送信部および前記第２無線送信部の双方を用いて前記データを前記通信端末に送信することが決定された場合に、前記データを示す情報を前記第１無線送信部および前記第２付加装置に送信して、前記第１無線送信部および前記第２無線送信部から前記通信端末に対して同時に、前記データを示す情報を送信させ、
前記第１付加装置の入出力インタフェースの仕様は、前記ゲートウェイと前記第１無線送信部との接続に用いられる入出力インタフェースの仕様と同一であり、
前記第２付加装置の入出力インタフェースの仕様は、前記ゲートウェイと前記第２無線送信部との接続に用いられる入出力インタフェースの仕様と同一である
通信制御方法。
【発明の詳細な説明】
【技術分野】
【０００１】
本発明は、通信制御システム、通信制御方法、およびプログラムに関する。本発明は、特に、複数の無線基地局から同時に通信端末に対してデータを送信させる通信制御システム、通信制御方法、およびプログラムに関する。
【背景技術】
【０００２】
移動体通信システムにおいては、通信の利用目的または通信端末の現在位置に応じて、無線ＬＡＮによる通信と、無線電話による通信との切り替えをおこなう技術が利用されている（例えば、特許文献１および特許文献２参照。）。また、移動体通信システムにおいては、通信端末の現在位置に応じて、通信端末との無線通信をおこなう無線基地局をハンドオーバーする技術が利用されている（例えば、特許文献３参照。）。これにより、通信端末は、データ通信中に基地局エリア外に移動した場合であっても、引き続き隣接する基地局エリアでのデータ通信をおこなうことができる。
【特許文献１】特開２００５−１９８０６０号公報
【特許文献２】特開２００３−１１０７５１号公報
【特許文献３】特開平８−３３１０４３号公報
【発明の開示】
【発明が解決しようとする課題】
【０００３】
しかしながら、従来技術では、複数の基地局エリア同士が重複する重複エリアに通信端末が存在する場合であっても、複数の無線基地局のうちのいずれか一つの無線基地局が、通信端末とのデータ通信をおこなう。上記重複エリアでは、複数の無線基地局のいずれからも距離が離れている場合が多く、いずれの無線基地局から送信されたデータであっても、通信端末が受信できる電波の電波強度は弱い。このため、上記重複エリアにおいては、通信端末によるデータ通信の通信品質および通信速度が低下する。
【課題を解決するための手段】
【０００４】
上記課題を解決するために、本発明の第１の形態においては、通信制御システムであって、通信端末に送信すべきデータを受信するデータ受信部と、第１無線送信部および第２無線送信部の一方を用いてデータを通信端末に送信するか、第１無線送信部および第２無線送信部の双方を用いてデータを通信端末に送信するかを決定する送信方法決定部と、第１無線送信部および第２無線送信部の双方を用いてデータを通信端末に送信することが決定された場合に、第１無線送信部および第２無線送信部から通信端末に対して同時に、データを示す情報を送信させる同期制御部とを備える。
【０００５】
なお、上記の発明の概要は、本発明の必要な特徴の全てを列挙したものではなく、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００７】
図１は、実施形態に係る通信制御システム１０の一例を示す。通信制御システム１０は、ＳＡＥ  ＧＷ（Ｓｙｓｔｅｍ  Ａｒｃｈｉｔｅｃｔｕｒｅ  Ｅｖｏｌｕｔｉｏｎ  Ｇａｔｅｗａｙ）１００、第１付加装置１２０Ａ、第２付加装置１２０Ｂ、第１無線基地局１３０Ａ、および第２無線基地局１３０Ｂを備える。
【０００８】
第１無線基地局１３０Ａは、第１無線送信部およびアンテナを有する。第１無線基地局１３０Ａは、第１基地局エリア１３５Ａに存在する通信端末１４０Ａおよび通信端末１４０Ｂと無線通信する。第２無線基地局１３０Ｂは、第２無線送信部およびアンテナを有する。第２無線基地局１３０Ｂは、第２基地局エリア１３５Ｂに存在する通信端末１４０Ｂおよび通信端末１４０Ｃと無線通信する。第１付加装置１２０Ａは、第１無線送信部に接続されている。第２付加装置１２０Ｂは、第２無線送信部に接続されている。
【０００９】
たとえば、通信制御システム１０は、ＬＴＥ（Ｌｏｎｇ  Ｔｅｒｍ  Ｅｖｏｌｕｔｉｏｎ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を利用する携帯電話用の通信システムを制御する。通信制御システム１０は、無線ＬＡＮ（Ｌｏｃａｌ  Ａｒｅａ  Ｎｅｔｗｏｒｋ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）など、他の通信方式または他の通信規格を利用する通信システムを制御してもよい。
【００１０】
以降の説明においては、第１付加装置１２０Ａおよび第２付加装置１２０Ｂをまとめて付加装置１２０と称する場合がある。また、第１無線基地局１３０Ａおよび第２無線基地局１３０Ｂをまとめて無線基地局１３０と称する場合がある。また、第１基地局エリア１３５Ａおよび第２基地局エリア１３５Ｂをまとめて基地局エリア１３５と称する場合がある。また、通信端末１４０Ａ、通信端末１４０Ｂ、および通信端末１４０Ｃをまとめて通信端末１４０と称する場合がある。
【００１１】
通信制御システム１０においては、付加装置１２０を除いて、既存の通信制御システムを利用してもよい。たとえば、既存の通信制御システムに対して、ＳＡＥ  ＧＷ１００と無線基地局１３０との通信経路上に付加装置１２０を設けることにより、通信制御システム１０を構築してもよい。この場合、付加装置１２０の入出力インターフェイスの仕様を、ＳＡＥ  ＧＷ１００と無線基地局１３０との接続に用いられる入出力インターフェイスの仕様と同一とすることが好ましい。これにより、付加装置１２０の利用を開始する場合においては、既存の通信制御システムに対して、容易に付加装置１２０を設けることができる。また、付加装置１２０の利用を廃止する場合においては、容易に既存の通信制御システムを復元できる。
【００１２】
ＳＡＥ  ＧＷ１００は、通信端末１４０に送信されるデータの通信経路を制御する。具体的には、ＳＡＥ  ＧＷ１００は、データ送信元の通信端末１４０から送信されたデータを受信する。また、ＳＡＥ  ＧＷ１００は、データ送信先の通信端末１４０の現在位置を特定する。たとえば、ＳＡＥ  ＧＷ１００は、端末移動情報１１５を参照することにより、データ送信先の通信端末１４０の現在位置を特定する。そして、ＳＡＥ  ＧＷ１００は、データ送信先の通信端末１４０の現在位置に応じた無線基地局１３０に、受信したデータを送信する。
【００１３】
無線基地局１３０は、通信端末１４０を通信ネットワークに無線接続させる。そして、無線基地局１３０は、通信端末１４０と無線通信をおこなう。たとえば、無線基地局１３０は、ＳＡＥ  ＧＷ１００から送信されたデータを受信する。そして、無線基地局１３０は、データ送信先の通信端末１４０に向けて、受信したデータを無線送信する。
【００１４】
通信端末１４０は、無線式の通信端末であって、無線基地局１３０を介して通信ネットワークに接続される。通信端末１４０は、通信ネットワークを介して、他の通信端末１４０との、データ通信をおこなう。
【００１５】
通信端末１４０は、通信ネットワークを介して、他の通信端末１４０からデータを受信する。そして、通信端末１４０は、受信したデータを再生する。通信端末１４０の一例として、携帯電話が挙げられる。通信端末１４０が送受信するデータの一例として、音声データ、テキストデータ、画像データが挙げられる。
【００１６】
付加装置１２０は、ＳＡＥ  ＧＷ１００と無線基地局１３０との通信経路上に設けられる。付加装置１２０は、ＳＡＥ  ＧＷ１００と無線基地局１３０との通信経路上において、無線基地局１３０による通信端末１４０へのデータ送信を制御する。
【００１７】
通信端末１４０が単一の基地局エリア１３５に存在する場合、付加装置１２０は、単一の無線基地局１３０から通信端末１４０へデータを送信させる。通信端末１４０が複数の基地局エリア１３５に重複する重複エリアに存在する場合、付加装置１２０は、複数の無線基地局１３０から通信端末１４０へデータを送信させる。特に、付加装置１２０は、複数の無線基地局１３０から通信端末１４０へデータを同時に送信させる。
【００１８】
たとえば、通信端末１４０Ａは、基地局エリア１３５Ａに存在する。このため、第１付加装置１２０Ａは、第１無線基地局１３０Ａから通信端末１４０Ａへデータを送信させる。また、通信端末１４０Ｃは、基地局エリア１３５Ｂに存在する。このため、第２付加装置１２０Ｂは、第２無線基地局１３０Ｂから通信端末１４０Ｃへデータを送信させる。
【００１９】
通信端末１４０Ｂは、基地局エリア１３５Ａと基地局エリア１３５Ｂが重複する重複エリアに存在する。このため、第１付加装置１２０Ａは、第１無線基地局１３０Ａから通信端末１４０Ｂへデータを送信させる。同時に、第２付加装置１２０Ｂは、第２無線基地局１３０Ｂから通信端末１４０Ｂへデータを送信させる。
【００２０】
たとえば、第１付加装置１２０Ａは、通信端末１４０Ｂへ送信すべきデータの送信時刻を算出する。そして、第１付加装置１２０Ａは、算出した送信時刻を、第２付加装置１２０Ｂに対して通知する。
【００２１】
第１付加装置１２０Ａは、上記送信時刻に、第１無線基地局１３０Ａに送信タイミング信号を送信する。同時に、第２付加装置１２０Ｂは、第２無線基地局１３０Ｂに送信タイミング信号を送信する。これにより、第１無線基地局１３０Ａおよび第１無線基地局１３０Ａは、同時に通信端末１４０Ｂへデータを送信する。
【００２２】
このように、本実施形態の通信制御システム１０によれば、複数の基地局エリア１３５に重複する重複エリアに存在する通信端末１４０Ｂに対して、複数の無線基地局１３０から、同時にデータを送信させる。これにより、通信端末１４０Ｂへのデータの伝播経路を多重化できる。また、通信端末１４０Ｂが受信するデータの電波強度を強めることができる。このため、上記重複エリアにおいて、通信端末１４０Ｂによるデータ通信の通信品質および通信速度を向上できる。
【００２３】
図２は、実施形態に係る第１付加装置１２０Ａの機能構成例を示す。第１付加装置１２０Ａは、データ受信部２０２、データ送信部２０４、符号化データ生成部２０６、送信可否判断部２０８、および送信方法決定部２１０を備える。また、第１付加装置１２０Ａは、伝送遅延時間計測部２１２、送信タイミング算出部２１４、外部クロック受信部２１６、高精度時間同期部２１８、および同期制御部２２０を備える。また、第１付加装置１２０Ａは、ネットワークＩ／Ｆ２２２、ネットワークＩ／Ｆ２２４、および同期用Ｉ／Ｆ２２６を備える。
【００２４】
なお、第２付加装置１２０Ｂは、第１付加装置１２０Ａと同様の構成および機能を有する。このため、第２付加装置１２０Ｂの機能構成例の説明を省略する。
【００２５】
データ受信部２０２は、通信端末１４０に送信すべきデータを受信する。たとえば、データ受信部２０２は、通信端末１４０に送信すべきデータをＳＡＥ  ＧＷ１００からネットワークＩ／Ｆ２２２を介して受信する。
【００２６】
データ送信部２０４は、通信端末１４０に送信すべきデータを送信する。たとえば、データ送信部２０４は、通信端末１４０に送信すべきデータを第１無線送信部および第２無線送信部の一方に送信する。データ送信部２０４は、通信端末１４０に送信すべきデータを第１無線送信部および第２無線送信部の双方に送信してもよい。
【００２７】
符号化データ生成部２０６は、データ受信部２０２が受信したデータを符号化して第１符号化データおよび第２符号化データを生成する。たとえば、符号化データ生成部２０６は、データ受信部２０２が受信したデータを時空間符号化することにより、第１符号化データおよび第２符号化データを生成してもよい。符号化データ生成部２０６は、データ受信部２０２が受信したデータを、ＭＩＭＯ技術を用いて時空間符号化することにより、第１符号化データおよび第２符号化データを生成してもよい。符号化データ生成部２０６が第１符号化データおよび第２符号化データを生成した場合、データ送信部２０４は、符号化データ生成部２０６が生成した第１符号化データを第１無線送信部に送信してもよい。また、データ送信部２０４は、符号化データ生成部２０６が生成した第２符号化データを第２無線送信部に送信してもよい。
【００２８】
送信可否判断部２０８は、第１無線送信部および第２無線送信部のそれぞれが通信端末１４０にデータ送信可能な状態にあるかを判断する。送信可否判断部２０８は、通信端末１４０の現在位置に基づいて、第１無線送信部および第２無線送信部のそれぞれが通信端末１４０にデータ送信可能な状態にあるかを判断してもよい。たとえば、送信可否判断部２０８は、ネットワークＩ／Ｆ２２２を介して端末移動情報１１５を参照することにより、通信端末１４０の現在位置を特定してもよい。
【００２９】
送信方法決定部２１０は、第１無線送信部および第２無線送信部の一方を用いてデータを通信端末１４０に送信するか、第１無線送信部および第２無線送信部の双方を用いてデータを通信端末１４０に送信するかを決定する。送信方法決定部２１０は、送信可否判断部２０８の判断結果に基づいて、第１無線送信部および第２無線送信部の一方を用いてデータを通信端末１４０に送信するか、第１無線送信部および第２無線送信部の双方を用いてデータを通信端末１４０に送信するかを決定してもよい。
【００３０】
たとえば、第１無線送信部が通信端末１４０にデータ送信可能な状態にあると送信可否判断部２０８が判断した場合、送信方法決定部２１０は、第１無線送信部を用いてデータを通信端末１４０に送信すると決定してもよい。また、第２無線送信部が通信端末１４０にデータ送信可能な状態にあると送信可否判断部２０８が判断した場合、送信方法決定部２１０は、第２無線送信部を用いてデータを通信端末１４０に送信すると決定してもよい。また、第１無線送信部および第２無線送信部の双方が通信端末１４０にデータ送信可能な状態にあると送信可否判断部２０８が判断した場合、送信方法決定部２１０は、第１無線送信部および第２無線送信部の双方を用いてデータを通信端末１４０に送信すると決定してもよい。
【００３１】
送信方法決定部２１０は、通信端末１４０のユーザ設定に基づいて、第１無線送信部および第２無線送信部の一方を用いてデータを通信端末１４０に送信するか、第１無線送信部および第２無線送信部の双方を用いてデータを通信端末１４０に送信するかを決定してもよい。たとえば、第１無線送信部および第２無線送信部の双方が通信端末１４０にデータ送信可能な状態にあると送信可否判断部２０８が判断した場合であっても、通信端末１４０のユーザ設定に、第１無線送信部および第２無線送信部の一方を用いてデータを通信端末１４０に送信する旨が設定されている場合、送信方法決定部２１０は、第１無線送信部および第２無線送信部の一方を用いてデータを通信端末１４０に送信すると決定してもよい。
【００３２】
送信方法決定部２１０によって第１無線送信部および第２無線送信部の双方を用いて通信端末１４０にデータを送信することが決定された場合、データ送信部２０４は、第１無線送信部および第２無線送信部の双方にデータ受信部２０２が受信したデータを送信してもよい。送信方法決定部２１０によって第１無線送信部および第２無線送信部の一方を用いて通信端末１４０にデータを送信することが決定された場合、データ送信部２０４は、第１無線送信部および第２無線送信部の一方にデータ受信部２０２が受信したデータを送信してもよい。送信方法決定部２１０によって第１無線送信部および第２無線送信部の双方を用いて通信端末１４０にデータを送信することが決定された場合、符号化データ生成部２０６は、に、データ受信部２０２が受信したデータを符号化して第１符号化データおよび第２符号化データを生成してもよい。
【００３３】
外部クロック受信部２１６は、外部クロック信号を受信する。たとえば、外部クロック受信部２１６は、ＧＰＳ衛星から発せられたＧＰＳ信号に基づいて現在時刻を算出するＧＰＳユニットから、外部クロック信号を受信してもよい。また、外部クロック受信部２１６は、ネットワークＩ／Ｆ２２２を介して、外部クロック信号を受信してもよい。
【００３４】
たとえば、外部クロック受信部２１６は、ＮＴＰ（Ｎｅｔｗｏｒｋ  Ｔｉｍｅ  Ｐｒｏｔｏｃｏｌ）サーバから、外部クロック信号を受信してもよい。また、外部クロック受信部２１６は、外部クロック信号としてＪＪＹ信号を受信してもよい。
【００３５】
高精度時間同期部２１８は、外部クロック受信部２１６が受信した外部クロック信号に同期して内部クロックを高精度化する。たとえば、高精度時間同期部２１８は、外部クロック受信部２１６が受信したナノｓｅｃ精度の外部クロック信号に同期し、内部クロック信号を高精度化する。
【００３６】
伝送遅延時間計測部２１２は、第１付加装置１２０Ａから第２付加装置１２０Ｂまでの伝送遅延時間を測定する。たとえば、伝送遅延時間計測部２１２は、ネットワーク疎通確認用のパケットをネットワークＩ／Ｆ２２２を介して第２付加装置１２０Ｂに送信することにより、第１付加装置１２０Ａから第２付加装置１２０Ｂまでの伝送遅延時間を測定してもよい。
【００３７】
送信タイミング算出部２１４は、第１無線送信部および第２無線送信部が、通信端末１４０へ送信すべきデータを示す情報を同時に送信可能な送信タイミングを算出する。たとえば、送信タイミング算出部２１４は、伝送遅延時間計測部２１２が測定した伝送遅延時間に基づいて、第１無線送信部および第２無線送信部が、通信端末１４０へ送信すべきデータを示す情報を同時に送信可能な送信タイミングを算出する。送信タイミング算出部２１４は、外部クロック受信部２１６が受信した外部クロック信号を参照して送信タイミングを算出してもよい。送信タイミング算出部２１４は、高精度時間同期部２１８によって高精度化された内部クロック信号を参照して送信タイミングを算出してもよい。
【００３８】
同期制御部２２０は、第１無線送信部および第２無線送信部から通信端末１４０に対して同時に、通信端末１４０へ送信すべきデータを示す情報を送信させる。同期制御部２２０は、第１無線送信部および第２無線送信部から通信端末１４０に対して同時に、送信タイミング信号を送信することにより、第１無線送信部および第２無線送信部から通信端末１４０に対して同時に、通信端末１４０へ送信すべきデータを示す情報を送信させてもよい。
【００３９】
同期制御部２２０は、第１無線送信部および第２無線送信部から通信端末１４０に対して同時に、符号化データ生成部２０６が生成した第１符号化データおよび符号化データ生成部２０６が生成した第２符号化データを送信させてもよい。たとえば、同期制御部２２０は、第１無線送信部から通信端末１４０に対して符号化データ生成部２０６が生成した第１符号化データを送信させると同時に、第２無線送信部から通信端末１４０に対して符号化データ生成部２０６が生成した第２符号化データを送信させてもよい。
【００４０】
同期制御部２２０は、送信方法決定部２１０によって第１無線送信部および第２無線送信部の双方を用いてデータを通信端末１４０に送信することが決定された場合に、第１無線送信部および第２無線送信部から通信端末１４０に対して同時に、通信端末１４０へ送信すべきデータを示す情報を送信させてもよい。同期制御部２２０は、送信方法決定部２１０によって第１無線送信部および第２無線送信部の双方を用いてデータを通信端末１４０に送信することが決定された場合に、通信端末１４０へ送信すべきデータを示す情報を第１無線送信部および第２付加装置１２０Ｂに送信して、第１無線送信部および第２無線送信部から通信端末１４０に対して同時に、通信端末１４０へ送信すべきデータを示す情報を送信させてもよい。
【００４１】
同期制御部２２０は、外部クロック受信部２１６が受信した外部クロック信号を参照して、第１無線送信部または第２無線送信部から通信端末１４０に対して、通信端末１４０へ送信すべきデータを示す情報を送信させてもよい。また、同期制御部２２０は、高精度時間同期部２１８が高精度化した内部クロック信号を参照して、第１無線送信部または第２無線送信部から通信端末１４０に対して、通信端末１４０へ送信すべきデータを示す情報を送信させてもよい。
【００４２】
このように、本実施形態の第１付加装置１２０Ａによれば、複数の基地局エリア１３５に重複する重複エリアに存在する通信端末１４０Ｂに対して、複数の無線基地局１３０から、同時にデータを送信させることができる。これにより、通信端末１４０Ｂへのデータの伝播経路を多重化できる。また、通信端末１４０Ｂが受信するデータの電波強度を高めることができる。このため、上記重複エリアにおいて、通信端末１４０Ｂによるデータ通信の通信品質および通信速度を向上できる。
【００４３】
図３は、実施形態に係る通信制御システムの他の一例を示す。図３に示す通信制御システム１０は、協調送信制御装置１１０を備える点で、図１に示した通信制御システム１０と相違する。なお、以下では、図１に示した通信制御システム１０との相違点について説明する。
【００４４】
通信制御システム１０においては、付加装置１２０および協調送信制御装置１１０を除いて、既存の通信制御システムを利用してもよい。たとえば、既存の通信制御システムに対して、ＳＡＥ  ＧＷ１００と無線基地局１３０との通信経路上に付加装置１２０を設けたうえに、付加装置１２０と協調送信制御装置１１０とを接続することにより、通信制御システム１０を構築してもよい。この場合、付加装置１２０の入出力インターフェイスの仕様を、ＳＡＥ  ＧＷ１００と無線基地局１３０との接続に用いられる入出力インターフェイスの仕様と同一とすることが好ましい。これにより、付加装置１２０および協調送信制御装置１１０の利用を開始する場合においては、既存の通信制御システムに対して、容易に付加装置１２０および協調送信制御装置１１０を設けることができる。また、付加装置１２０および協調送信制御装置１１０の利用を廃止した場合においては、容易に既存の通信制御システムを復元できる。
【００４５】
協調送信制御装置１１０は、付加装置１２０と協調することにより、無線基地局１３０による通信端末１４０へのデータ送信を制御する。具体的には、通信端末１４０が単一の基地局エリア１３５に存在する場合、協調送信制御装置１１０は、単一の無線基地局１３０から通信端末１４０へデータを送信させる。通信端末１４０が複数の基地局エリア１３５に重複する重複エリアに存在する場合、協調送信制御装置１１０は、複数の無線基地局１３０から通信端末１４０へデータを送信させる。特に、協調送信制御装置１１０は、複数の無線基地局１３０から通信端末１４０へデータを同時に送信させる。
【００４６】
たとえば、通信端末１４０Ａは、基地局エリア１３５Ａに存在する。このため、協調送信制御装置１１０は、第１無線基地局１３０Ａから通信端末１４０Ａへデータを送信させる。また、通信端末１４０Ｃは、基地局エリア１３５Ｂに存在する。このため、協調送信制御装置１１０は、第２無線基地局１３０Ｂから通信端末１４０Ｃへデータを送信させる。
【００４７】
通信端末１４０Ｂは、基地局エリア１３５Ａと基地局エリア１３５Ｂが重複する重複エリアに存在する。このため、協調送信制御装置１１０は、第１無線基地局１３０Ａから通信端末１４０Ｂへデータを送信させる。同時に、協調送信制御装置１１０は、第２無線基地局１３０Ｂから通信端末１４０Ｂへデータを送信させる。
【００４８】
たとえば、協調送信制御装置１１０は、無線基地局１３０Ａから通信端末１４０Ｂへデータを送信すべき送信時刻を算出する。そして、協調送信制御装置１１０は、算出した送信時刻を、第１付加装置１２０Ａおよび第２付加装置１２０Ｂの双方に対して通知する。
【００４９】
第１付加装置１２０Ａは、上記送信時刻に、第１無線基地局１３０Ａに送信タイミング信号を送信する。同時に、第２付加装置１２０Ｂは、第２無線基地局１３０Ｂに送信タイミング信号を送信する。これにより、第１無線基地局１３０Ａおよび第１無線基地局１３０は、同時に通信端末１４０Ｂへデータを送信する。
【００５０】
このように、本実施形態の通信制御システム１０によれば、複数の基地局エリア１３５に重複する重複エリアに存在する通信端末１４０Ｂに対して、複数の無線基地局１３０から、同時にデータを送信させる。これにより、通信端末１４０Ｂへのデータの伝播経路を多重化できる。また、通信端末１４０Ｂが受信するデータの電波強度を高めることができる。このため、上記重複エリアにおいて、通信端末１４０Ｂによるデータ通信の通信品質および通信速度を向上できる。
【００５１】
図４は、実施形態に係る第１付加装置１２０Ａの他の機能構成例を示す。第１付加装置１２０Ａは、データ受信部２０２、データ送信部２０４、符号化データ生成部２０６、送信可否判断部２０８、および送信方法決定部２１０を備える。また、第１付加装置１２０Ａは、外部クロック受信部２１６、高精度時間同期部２１８、および送信タイミング供給部４０２を備える。また、第１付加装置１２０Ａは、ネットワークＩ／Ｆ２２２、ネットワークＩ／Ｆ２２４、および同期用Ｉ／Ｆ２２６を備える。
【００５２】
なお、第２付加装置１２０Ｂは、第１付加装置１２０Ａと同様の構成および機能を有する。このため、第２付加装置１２０Ｂの機能構成例の説明を省略する。
【００５３】
データ受信部２０２は、通信端末１４０に送信すべきデータを受信する。たとえば、データ受信部２０２は、通信端末１４０に送信すべきデータをＳＡＥ  ＧＷ１００からネットワークＩ／Ｆ２２２を介して受信する。
【００５４】
データ送信部２０４は、通信端末１４０に送信すべきデータを送信する。たとえば、データ送信部２０４は、通信端末１４０に送信すべきデータを第１無線送信部および第２無線送信部の一方に送信する。データ送信部２０４は、通信端末１４０に送信すべきデータを第１無線送信部および第２無線送信部の双方に送信してもよい。
【００５５】
符号化データ生成部２０６は、データ受信部２０２が受信したデータを符号化して第１符号化データおよび第２符号化データを生成する。たとえば、符号化データ生成部２０６は、データ受信部２０２が受信したデータを時空間符号化することにより、第１符号化データおよび第２符号化データを生成してもよい。符号化データ生成部２０６が第１符号化データおよび第２符号化データを生成した場合、データ送信部２０４は、符号化データ生成部２０６が生成した第１符号化データを第１無線送信部に送信してもよい。また、データ送信部２０４は、符号化データ生成部２０６が生成した第２符号化データを第２無線送信部に送信してもよい。
【００５６】
送信可否判断部２０８は、第１無線送信部および第２無線送信部のそれぞれが通信端末１４０にデータ送信可能な状態にあるかを判断する。送信可否判断部２０８は、通信端末１４０の現在位置に基づいて、第１無線送信部および第２無線送信部のそれぞれが通信端末１４０にデータ送信可能な状態にあるかを判断してもよい。たとえば、送信可否判断部２０８は、ネットワークＩ／Ｆ２２２を介して端末移動情報１１５を参照することにより、通信端末１４０の現在位置を特定してもよい。
【００５７】
送信方法決定部２１０は、第１無線送信部および第２無線送信部の一方を用いてデータを通信端末１４０に送信するか、第１無線送信部および第２無線送信部の双方を用いてデータを通信端末１４０に送信するかを決定する。送信方法決定部２１０は、送信可否判断部２０８の判断結果に基づいて、第１無線送信部および第２無線送信部の一方を用いてデータを通信端末１４０に送信するか、第１無線送信部および第２無線送信部の双方を用いてデータを通信端末１４０に送信するかを決定してもよい。
【００５８】
たとえば、第１無線送信部が通信端末１４０にデータ送信可能な状態にあると送信可否判断部２０８が判断した場合、送信方法決定部２１０は、第１無線送信部を用いてデータを通信端末１４０に送信すると決定してもよい。また、第２無線送信部が通信端末１４０にデータ送信可能な状態にあると送信可否判断部２０８が判断した場合、送信方法決定部２１０は、第２無線送信部を用いてデータを通信端末１４０に送信すると決定してもよい。また、第１無線送信部および第２無線送信部の双方が通信端末１４０にデータ送信可能な状態にあると送信可否判断部２０８が判断した場合、送信方法決定部２１０は、第１無線送信部および第２無線送信部の双方を用いてデータを通信端末１４０に送信すると決定してもよい。
【００５９】
送信方法決定部２１０は、通信端末１４０のユーザ設定に基づいて、第１無線送信部および第２無線送信部の一方を用いてデータを通信端末１４０に送信するか、第１無線送信部および第２無線送信部の双方を用いてデータを通信端末１４０に送信するかを決定してもよい。たとえば、第１無線送信部および第２無線送信部の双方が通信端末１４０にデータ送信可能な状態にあると送信可否判断部２０８が判断した場合であっても、通信端末１４０のユーザ設定に、第１無線送信部および第２無線送信部の一方を用いてデータを通信端末１４０に送信する旨が設定されている場合、送信方法決定部２１０は、第１無線送信部および第２無線送信部の一方を用いてデータを通信端末１４０に送信すると決定してもよい。
【００６０】
送信方法決定部２１０によって第１無線送信部および第２無線送信部の双方を用いて通信端末１４０にデータを送信することが決定された場合、データ送信部２０４は、第１無線送信部および第２無線送信部の双方にデータ受信部２０２が受信したデータを送信してもよい。送信方法決定部２１０によって第１無線送信部および第２無線送信部の一方を用いて通信端末１４０にデータを送信することが決定された場合、データ送信部２０４は、第１無線送信部および第２無線送信部の一方にデータ受信部２０２が受信したデータを送信してもよい。送信方法決定部２１０によって第１無線送信部および第２無線送信部の双方を用いて通信端末１４０にデータを送信することが決定された場合、符号化データ生成部２０６は、に、データ受信部２０２が受信したデータを符号化して第１符号化データおよび第２符号化データを生成してもよい。
【００６１】
外部クロック受信部２１６は、外部クロック信号を受信する。たとえば、外部クロック受信部２１６は、ＧＰＳ衛星から発せられたＧＰＳ信号に基づいて現在時刻を算出するＧＰＳユニットから、外部クロック信号を受信してもよい。また、外部クロック受信部２１６は、ネットワークＩ／Ｆ２２２を介して、外部クロック信号を受信してもよい。たとえば、外部クロック受信部２１６は、ＮＴＰサーバから、外部クロック信号を受信してもよい。また、外部クロック受信部２１６は、外部クロック信号としてＪＪＹ信号を受信してもよい。
【００６２】
高精度時間同期部２１８は、外部クロック受信部２１６が受信した外部クロック信号に同期して内部クロックを高精度化する。たとえば、高精度時間同期部２１８は、外部クロック受信部２１６が受信したナノｓｅｃ精度の外部クロック信号に同期し、内部クロック信号を高精度化する。
【００６３】
送信タイミング供給部４０２は、通信端末１４０へ送信すべきデータを示す情報の送信タイミングを第１無線送信部に供給する。送信タイミング供給部４０２は、協調送信制御装置１１０から送信された、端末装置１４０へ送信すべきデータの送信タイミングを示す制御信号に基づいて、上記送信タイミングを第１無線送信部に供給してもよい。また、送信タイミング供給部４０２は、上記送信タイミングを示す送信タイミング信号を、同期用Ｉ／Ｆ２２６を介して第１無線送信部に供給してもよい。
【００６４】
送信タイミング供給部４０２は、外部クロック受信部２１６が受信した外部クロック信号を参照して、通信端末１４０へ送信すべきデータを示す情報の送信タイミングを第１無線送信部に供給してもよい。また、送信タイミング供給部４０２は、高精度時間同期部２１８が高精度化した内部クロック信号を参照して、通信端末１４０へ送信すべきデータを示す情報の送信タイミングを第１無線送信部に供給してもよい。
【００６５】
図５は、実施形態に係る協調送信制御装置１１０の機能構成例を示す。協調送信制御装置１１０は、伝送遅延時間計測部５０６、外部クロック受信部５０８、高精度時間同期部５１０、送信タイミング算出部５１２、同期制御部５１４、およびネットワークＩ／Ｆ５１６を備える。
【００６６】
伝送遅延時間計測部５０６は、協調送信制御装置１１０から第１付加装置１２０Ａまでの第１伝送遅延時間、および協調送信制御装置１１０からから第２付加装置１２０Ｂまでの第２伝送遅延時間を測定する。たとえば、伝送遅延時間計測部５０６は、ネットワーク疎通確認用のパケットをネットワークＩ／Ｆ５１６を介して第１付加装置１２０Ａに送信することにより、第１伝送遅延時間を測定してもよい。また、伝送遅延時間計測部５０６は、ネットワーク疎通確認用のパケットをネットワークＩ／Ｆ５１６を介して第２付加装置１２０Ｂに送信することにより、第２伝送遅延時間を測定してもよい。
【００６７】
外部クロック受信部５０８は、外部クロック信号を受信する。たとえば、外部クロック受信部５０８は、ＧＰＳ衛星から発せられたＧＰＳ信号に基づいて現在時刻を算出するＧＰＳユニットから、外部クロック信号を受信してもよい。また、外部クロック受信部５０８は、ネットワークＩ／Ｆ２２２を介して、外部クロック信号を受信してもよい。
【００６８】
たとえば、外部クロック受信部５０８は、ＮＴＰサーバから、外部クロック信号を受信してもよい。また、外部クロック受信部５０８は、ネットワークＩ／Ｆ２２２を介して、外部クロック信号としてＪＪＹ信号を受信してもよい。外部クロック受信部５０８が外部クロック信号を受信した場合、伝送遅延時間計測部５０６は、外部クロック受信部５０８が受信した外部クロック信号を参照して、第１伝送遅延時間および第２伝送遅延時間を測定してもよい。
【００６９】
高精度時間同期部５１０は、外部クロック受信部５０８が受信した外部クロック信号に同期して内部クロックを高精度化する。たとえば、高精度時間同期部５１０は、外部クロック受信部５０８が受信したナノｓｅｃ精度の外部クロック信号に同期し、内部クロックを高精度化する。高精度時間同期部５１０が外部クロック信号に同期し、内部クロックを高精度化した場合、伝送遅延時間計測部５０６は、高精度時間同期部５１０が高精度化した内部クロック信号を参照して、第１伝送遅延時間および第２伝送遅延時間を測定してもよい。
【００７０】
送信タイミング算出部５１２は、伝送遅延時間計測部５０６が測定した第１伝送遅延時間および第２伝送遅延時間に基づいて、第１無線送信部および第２無線送信部が、通信端末１４０へ送信すべきデータを示す情報を同時に送信可能な送信タイミングを算出する。送信タイミング算出部５１２は、外部クロック受信部５０８が受信した外部クロック信号を参照して送信タイミングを算出してもよい。また、送信タイミング算出部５１２は、高精度時間同期部５１０によって高精度化された内部クロック信号を参照して送信タイミングを算出してもよい。
【００７１】
同期制御部５１４は、第１無線送信部および第２無線送信部から通信端末１４０に対して同時に、通信端末１４０へ送信すべきデータを示す情報を送信させる。同期制御部５１４は、第１付加装置１２０Ａの送信方法決定部２１０によって第１無線送信部および第２無線送信部の双方を用いてデータを通信端末１４０に送信することが決定された場合に、第１無線送信部および第２無線送信部から通信端末１４０に対して同時に、通信端末１４０へ送信すべきデータを示す情報を送信させてもよい。
【００７２】
同期制御部５１４は、端末装置１４０へ送信すべきデータの送信タイミングを示す制御信号を第１付加装置１２０Ａおよび第２付加装置１２０Ｂのそれぞれの送信タイミング供給部４０２に送信してもよい。これにより、同期制御部５１４は、第１無線送信部および第２無線送信部の双方から通信端末１４０に対して同時に、通信端末１４０へ送信すべきデータを示す情報を送信させてもよい。
【００７３】
同期制御部５１４は、第１無線送信部および第２無線送信部から通信端末１４０に対して同時に、第１付加装置１２０Ａの符号化データ生成部２０６が生成した第１符号化データおよび第２符号化データを送信させてもよい。たとえば、同期制御部５１４は、第１無線送信部から通信端末１４０に対して第１付加装置１２０Ａの符号化データ生成部２０６が生成した第１符号化データを送信させると同時に、第２無線送信部から通信端末１４０に対して第１付加装置１２０Ａの符号化データ生成部２０６が生成した第２符号化データを送信させてもよい。
【００７４】
同期制御部５１４は、第１付加装置１２０Ａの送信方法決定部２１０によって第１無線送信部および第２無線送信部の双方を用いてデータを通信端末１４０に送信することが決定された場合に、第１無線送信部および第２無線送信部から通信端末１４０に対して同時に、通信端末１４０へ送信すべきデータを示す情報を送信させてもよい。同期制御部５１４は、外部クロック受信部２１６が受信した外部クロック信号を参照して、第１無線送信部または第２無線送信部から通信端末１４０に対して、通信端末１４０へ送信すべきデータを示す情報を送信させてもよい。また、同期制御部５１４は、高精度時間同期部５１０が高精度化した内部クロック信号を参照して、第１無線送信部または第２無線送信部から通信端末１４０に対して、通信端末１４０へ送信すべきデータを示す情報を送信させてもよい。
【００７５】
このように、本実施形態の第１付加装置１２０Ａおよび協調送信制御装置１１０によれば、複数の基地局エリア１３５に重複する重複エリアに存在する通信端末１４０Ｂに対して、複数の無線基地局１３０から、同時にデータを送信させることができる。これにより、通信端末１４０Ｂへのデータの伝播経路を多重化できる。また、通信端末１４０Ｂが受信するデータの電波強度を高めることができる。このため、上記重複エリアにおいて、通信端末１４０Ｂによるデータ通信の通信品質および通信速度を向上できる。
【００７６】
図６は、通信制御システム１０による処理の一例を示す。第１基地局エリア１３５Ａに存在する通信端末１４０Ｂは、第１基地局エリア１３５Ａから、第１基地局エリア１３５Ａと第２基地局エリア１３５Ｂとが重複する重複エリアに移動する。図６に示すｔ１は、通信端末１４０Ｂが第１基地局エリア１３５Ａから上記重複エリアに移動したタイミングを示す。
【００７７】
通信端末１４０Ｂが第１基地局エリア１３５Ａに存在するとき、ＳＡＥ  ＧＷ１００は、通信端末１４０Ｂが第１無線基地局１３０Ａからデータを受信できることを検出する。これによりＳＡＥ  ＧＷ１００は、通信端末１４０Ｂに送信すべきデータＢ１−Ｂ３を、第１無線基地局１３０Ａに向けて送信する。
【００７８】
ＳＡＥ  ＧＷ１００と第１無線基地局１３０Ａとの通信経路上に設けられた第１付加装置１２０Ａは、ＳＡＥ  ＧＷ１００から送信されたデータＢ１−Ｂ３を受信する。第１付加装置１２０Ａは、通信端末１４０Ｂが第１無線基地局１３０Ａからデータを受信できることを検出する。これにより、第１付加装置１２０Ａは、データＢ１−Ｂ３および送信タイミング信号を第１無線基地局１３０Ａに送信する。第１無線基地局１３０Ａは、送信タイミング信号を受信したタイミングで、データＢ１−Ｂ３を通信端末１４０Ｂに送信する。通信端末１４０Ｂは、第１無線基地局１３０Ａから受信したデータＢ１−Ｂ３を再生する。
【００７９】
通信端末１４０Ｂが第１基地局エリア１３５Ａから上記重複エリアに移動することにより、ＳＡＥ  ＧＷ１００は、通信端末１４０Ｂが第１無線基地局１３０Ａと第２無線基地局１３０Ｂとの双方からデータを受信できることを検出する。ＳＡＥ  ＧＷ１００は、第１無線基地局１３０Ａと第２無線基地局１３０Ｂとのうち、第１無線基地局１３０Ａを、通信端末１４０Ｂに対して強い電波を発することができる無線基地局として特定する。これにより、ＳＡＥ  ＧＷ１００は、通信端末１４０Ｂに送信すべきデータＢ４、Ｂ５を、第１無線基地局１３０Ａに向けて送信する。
【００８０】
第１付加装置１２０Ａは、ＳＡＥ  ＧＷ１００から送信されたデータＢ４、Ｂ５を受信する。第１付加装置１２０Ａは、通信端末１４０Ｂが第１無線基地局１３０Ａと第２無線基地局１３０Ｂとの双方からデータを受信できることを検出する。
【００８１】
これにより、第１付加装置１２０Ａは、データＢ´４、Ｂ´５を第１無線基地局１３０Ａに送信する。第１付加装置１２０Ａは、データＢ´´４、Ｂ´´５を第２付加装置１２０Ｂに送信する。
【００８２】
第１付加装置１２０Ａは、ＳＡＥ  ＧＷ１００から送信されたデータＢ４、Ｂ５を、そのままデータＢ´４、Ｂ´５として、第１無線基地局１３０Ａに送信してもよい。また、第１付加装置１２０Ａは、ＳＡＥ  ＧＷ１００から送信されたデータＢ４、Ｂ５を、そのままデータＢ´´４、Ｂ´´５として、第２付加装置１２０Ｂに送信してもよい。
【００８３】
また、第１付加装置１２０Ａは、ＳＡＥ  ＧＷ１００から送信されたデータＢ４、Ｂ５を、符号化することにより、符号化されたデータＢ´４、Ｂ´５および符号化されたデータＢ´´４、Ｂ´´５を生成してもよい。そして、第１付加装置１２０Ａは、符号化されたデータＢ´４、Ｂ´５を、第１無線基地局１３０Ａに送信してもよい。また、第１付加装置１２０Ａは、符号化されたデータＢ´´４、Ｂ´´５を、第２付加装置１２０Ｂに送信してもよい。
【００８４】
第１付加装置１２０Ａまたは協調送信制御装置１１０が算出した送信タイミング時刻に達するまでに、第１付加装置１２０Ａは、データＢ´４、Ｂ´５を第１無線基地局１３０Ａに送信する。また、第２付加装置１２０Ｂは、データＢ´´４、Ｂ´´５を第２無線基地局１３０Ｂに送信する。
【００８５】
第１付加装置１２０Ａまたは協調送信制御装置１１０が算出した送信タイミング時刻に達したタイミングで、第１付加装置１２０Ａは、タイミング信号を第１無線基地局１３０Ａに送信する。同時に、第２付加装置１２０Ｂは、タイミング信号を第２無線基地局１３０Ｂに送信する。
【００８６】
これにより、第１無線基地局１３０Ａは、データＢ´４、Ｂ´５を通信端末１４０Ｂに送信する。同時に、第２無線基地局１３０Ｂは、データＢ´´４、Ｂ´´５を通信端末１４０Ｂに送信する。
【００８７】
通信端末１４０Ｂは、第１無線基地局１３０Ａおよび第２無線基地局１３０ＢからデータＢ´４、Ｂ´５およびデータＢ´´４、Ｂ´´５を受信する。通信端末１４０Ｂは、受信したデータＢ´４、Ｂ´５およびデータＢ´´４、Ｂ´´５をデータＢ４、Ｂ５として再生する。通信端末１４０Ｂは、受信したデータＢ´４、Ｂ´５およびデータＢ´´４、Ｂ´´５から、データＢ４、Ｂ５を復号してもよい。そして、データＢ４、Ｂ５は、復号されたデータＢ４、Ｂ５を再生してもよい。
【００８８】
このように、本実施形態の通信制御システム１０によれば、複数の基地局エリア１３５に重複する重複エリアに存在する通信端末１４０Ｂに対して、複数の無線基地局１３０から、同時にデータを送信させることができる。通信制御システム１０は、複数の無線基地局１３０から通信端末１４０Ｂへ送信させる複数のデータの周波数を同一とすることにより、通信端末１４０Ｂが受信するデータの電波強度を高めることができる。また、通信制御システム１０は、複数の符号化データを生成して、生成した複数の符号化データを、同時に複数の無線基地局１３０から通信端末１４０Ｂへ送信させることにより、通信端末１４０Ｂとの通信経路における複数の帯域を有効に利用できる。
【００８９】
図７は、通信制御システム１０による処理の他の一例を示す。第１基地局エリア１３５Ａに存在する通信端末１４０Ｂは、第１基地局エリア１３５Ａから、第１基地局エリア１３５Ａと第２基地局エリア１３５Ｂとが重複する重複エリアに移動する。さらに、通信端末１４０Ｂは、上記重複エリアから、第２基地局エリア１３５Ｂに移動する。
【００９０】
図７に示すｔ１は、通信端末１４０Ｂが第１基地局エリア１３５Ａから上記重複エリアに移動したタイミングを示す。また、ｔ２は、通信端末１４０Ｂとの通信をおこなう無線基地局１３０Ａが、第１無線基地局１３０Ａから第２無線基地局１３０ＢにＨ／Ｏ（ハンドオーバー）したタイミングを示す。また、ｔ３は、通信端末１４０Ｂが上記重複エリアから第２基地局エリア１３５Ｂに移動したタイミングを示す。
【００９１】
通信端末１４０Ｂが第１基地局エリア１３５Ａに存在するとき、ＳＡＥ  ＧＷ１００は、通信端末１４０Ｂが第１無線基地局１３０Ａからデータを受信できることを検出する。これによりＳＡＥ  ＧＷ１００は、通信端末１４０Ｂに送信すべきデータＢ１−Ｂ３を、第１無線基地局１３０Ａに向けて送信する。
【００９２】
ＳＡＥ  ＧＷ１００と第１無線基地局１３０Ａとの通信経路上に設けられた第１付加装置１２０Ａは、ＳＡＥ  ＧＷ１００から送信されたデータＢ１−Ｂ３を受信する。第１付加装置１２０Ａは、通信端末１４０Ｂが第１無線基地局１３０Ａからデータを受信できることを検出する。これにより、第１付加装置１２０Ａは、データＢ１−Ｂ３および送信タイミング信号を第１無線基地局１３０Ａに送信する。これにより、第１無線基地局１３０Ａは、データＢ１−Ｂ３を通信端末１４０Ｂに送信する。通信端末１４０Ｂは、第１無線基地局１３０Ａから受信したデータＢ１−Ｂ３を再生する。
【００９３】
通信端末１４０Ｂが第１基地局エリア１３５Ａから上記重複エリアに移動することにより、ＳＡＥ  ＧＷ１００は、通信端末１４０Ｂが第１無線基地局１３０Ａと第２無線基地局１３０Ｂとの双方からデータを受信できることを検出する。ＳＡＥ  ＧＷ１００は、第１無線基地局１３０Ａと第２無線基地局１３０Ｂとのうち、第１無線基地局１３０Ａを、通信端末１４０Ｂに対して強い電波を発することができる無線基地局として特定する。これにより、ＳＡＥ  ＧＷ１００は、通信端末１４０Ｂに送信すべきデータＢ４、Ｂ５を、第１無線基地局１３０Ａに向けて送信する。
【００９４】
第１付加装置１２０Ａは、ＳＡＥ  ＧＷ１００から送信されたデータＢ４、Ｂ５を受信する。第１付加装置１２０Ａは、通信端末１４０Ｂが第１無線基地局１３０Ａと第２無線基地局１３０Ｂとの双方からデータを受信できることを検出する。
【００９５】
これにより、第１付加装置１２０Ａは、データＢ´４、Ｂ´５を第１無線基地局１３０Ａに送信する。第１付加装置１２０Ａは、データＢ´´４、Ｂ´´５を第２付加装置１２０Ｂに送信する。
【００９６】
第１付加装置１２０Ａは、ＳＡＥ  ＧＷ１００から送信されたデータＢ４、Ｂ５を、そのままデータＢ´４、Ｂ´５として、第１無線基地局１３０Ａに送信してもよい。また、第１付加装置１２０Ａは、ＳＡＥ  ＧＷ１００から送信されたデータＢ４、Ｂ５を、そのままデータＢ´´４、Ｂ´´５として、第２付加装置１２０Ｂに送信してもよい。
【００９７】
また、第１付加装置１２０Ａは、ＳＡＥ  ＧＷ１００から送信されたデータＢ４、Ｂ５を、符号化することにより、符号化されたデータＢ´４、Ｂ´５および符号化されたデータＢ´´４、Ｂ´´５を生成してもよい。そして、第１付加装置１２０Ａは、符号化されたデータＢ´４、Ｂ´５を、第１無線基地局１３０Ａに送信してもよい。また、第１付加装置１２０Ａは、符号化されたデータＢ´´４、Ｂ´´５を、第２付加装置１２０Ｂに送信してもよい。
【００９８】
第１付加装置１２０Ａまたは協調送信制御装置１１０が算出した送信タイミング時刻に達するまでに、第１付加装置１２０Ａは、データＢ´４、Ｂ´５を第１無線基地局１３０Ａに送信する。また、第２付加装置１２０Ｂは、データＢ´´４、Ｂ´´５を第２無線基地局１３０Ｂに送信する。
【００９９】
第１付加装置１２０Ａまたは協調送信制御装置１１０が算出した送信タイミング時刻に達したタイミングで、第１付加装置１２０Ａは、送信タイミング信号を第１無線基地局１３０Ａに送信する。同時に、第２付加装置１２０Ｂは、送信タイミング信号を第２無線基地局１３０Ｂに送信する。
【０１００】
これにより、第１無線基地局１３０Ａは、データＢ´４、Ｂ´５を通信端末１４０Ｂに送信する。同時に、第２無線基地局１３０Ｂは、データＢ´´４、Ｂ´´５を通信端末１４０Ｂに送信する。
【０１０１】
通信端末１４０Ｂは、第１無線基地局１３０Ａおよび第２無線基地局１３０ＢからデータＢ´４、Ｂ´５およびデータＢ´´４、Ｂ´´５を受信する。通信端末１４０Ｂは、受信したデータＢ´４、Ｂ´５およびデータＢ´´４、Ｂ´´５をデータＢ４、Ｂ５として再生する。通信端末１４０Ｂは、受信したデータＢ´４、Ｂ´５およびデータＢ´´４、Ｂ´´５から、データＢ４、Ｂ５を復号してもよい。そして、通信端末１４０Ｂは、復号されたデータＢ４、Ｂ５を再生してもよい。
【０１０２】
通信端末１４０Ｂが上記重複エリア内を移動することにより、ＳＡＥ  ＧＷ１００は、第１無線基地局１３０Ａと第２無線基地局１３０Ｂとのうち、第２無線基地局１３０Ｂを、通信端末１４０Ｂに対して強い電波を発することができる無線基地局として特定する。ＳＡＥ  ＧＷ１００は、通信端末１４０Ｂとの通信をおこなう無線基地局１３０を、第１無線基地局１３０Ａから第２無線基地局１３０ＢにＨ／Ｏ（ハンドオーバー）する。これにより、ＳＡＥ  ＧＷ１００は、通信端末１４０Ｂに送信すべきデータＢ６、Ｂ７を、第２無線基地局１３０Ｂに向けて送信する。
【０１０３】
ＳＡＥ  ＧＷ１００と第２無線基地局１３０Ｂとの通信経路上に設けられた第２付加装置１２０Ｂは、ＳＡＥ  ＧＷ１００から送信されたデータＢ６、Ｂ７を受信する。第２付加装置１２０Ｂは、通信端末１４０Ｂが第１無線基地局１３０Ａと第２無線基地局１３０Ｂとの双方からデータを受信できることを検出する。
【０１０４】
これにより、第２付加装置１２０Ｂは、データＢ´６、Ｂ´７を第１付加装置１２０Ａに送信する。また、第２付加装置１２０Ｂは、データＢ´´６、Ｂ´´７を第２無線基地局１３０Ｂに送信する。
【０１０５】
第２付加装置１２０Ｂは、ＳＡＥ  ＧＷ１００から送信されたデータＢ６、Ｂ７を、そのままデータＢ´６、Ｂ´７として、第１付加装置１２０Ａに送信してもよい。また、第２付加装置１２０Ｂは、ＳＡＥ  ＧＷ１００から送信されたデータＢ６、Ｂ７を、そのままデータＢ´´６、Ｂ´´７として、第２無線基地局１３０Ｂに送信してもよい。
【０１０６】
また、第２付加装置１２０Ｂは、ＳＡＥ  ＧＷ１００から送信されたデータＢ６、Ｂ７を、符号化することにより、符号化されたデータＢ´６、Ｂ´７および符号化されたデータＢ´´６、Ｂ´´７を生成してもよい。そして、第２付加装置１２０Ｂは、符号化されたデータＢ´６、Ｂ´７を、第１付加装置１２０Ａに送信してもよい。また、第１付加装置１２０Ａは、符号化されたデータＢ´´６、Ｂ´´７を、第２無線基地局１３０Ｂに送信してもよい。
【０１０７】
第１付加装置１２０Ａまたは協調送信制御装置１１０が算出した送信タイミング時刻に達するまでに、第１付加装置１２０Ａは、データＢ´６、Ｂ´７を第１無線基地局１３０Ａに送信する。また、第２付加装置１２０Ｂは、データＢ´´６、Ｂ´´７を第２無線基地局１３０Ｂに送信する。
【０１０８】
第１付加装置１２０Ａまたは協調送信制御装置１１０が算出した送信タイミング時刻に達したタイミングで、第１付加装置１２０Ａは、送信タイミング信号を第１無線基地局１３０Ａに送信する。同時に、第２付加装置１２０Ｂは、送信タイミング信号を第２無線基地局１３０Ｂに送信する。
【０１０９】
これにより、第１無線基地局１３０Ａは、データＢ´６、Ｂ´７を通信端末１４０Ｂに送信する。同時に、第２無線基地局１３０Ｂは、データＢ´´６、Ｂ´´７を通信端末１４０Ｂに送信する。
【０１１０】
通信端末１４０Ｂは、第１無線基地局１３０Ａおよび第２無線基地局１３０ＢからデータＢ´６、Ｂ´７およびデータＢ´´６、Ｂ´´７を受信する。通信端末１４０Ｂは、受信したデータＢ´６、Ｂ´７およびデータＢ´´６、Ｂ´´７をデータＢ６、Ｂ７として再生する。通信端末１４０Ｂは、受信したデータＢ´６、Ｂ´７およびデータＢ´´６、Ｂ´´７から、データＢ６、Ｂ７を復号してもよい。そして、通信端末１４０Ｂは、復号されたデータＢ４、Ｂ５を再生してもよい。
【０１１１】
通信端末１４０Ｂが上記重複エリアから第２基地局エリア１３５Ｂに移動することにより、ＳＡＥ  ＧＷ１００は、通信端末１４０Ｂが第２無線基地局１３０Ｂからデータを受信できることを検出する。これによりＳＡＥ  ＧＷ１００は、通信端末１４０Ｂに送信すべきデータＢ８、Ｂ９を、第２無線基地局１３０Ｂに向けて送信する。
【０１１２】
第２付加装置１２０Ｂは、ＳＡＥ  ＧＷ１００から送信されたデータＢ８、Ｂ９を受信する。第２付加装置１２０Ｂは、通信端末１４０Ｂが第２無線基地局１３０Ｂからデータを受信できることを検出する。これにより、第２付加装置１２０Ｂは、データＢ８、Ｂ９および送信タイミング信号を第２無線基地局１３０Ｂに送信する。これにより、第２無線基地局１３０Ｂは、データＢ８、Ｂ９を通信端末１４０Ｂに送信する。通信端末１４０Ｂは、第２無線基地局１３０Ｂから受信したデータＢ８、Ｂ９を再生する。
【０１１３】
このように、本実施形態の通信制御システム１０によれば、複数の基地局エリア１３５に重複する重複エリアに存在する通信端末１４０Ｂに対して、複数の無線基地局１３０から、同時にデータを送信させることができる。通信制御システム１０は、複数の無線基地局１３０から通信端末１４０Ｂへ送信させる複数のデータの周波数を同一とすることにより、通信端末１４０Ｂが受信するデータの電波強度を高めることができる。また、通信制御システム１０は、複数の符号化データを生成して、生成した複数の符号化データを、同時に複数の無線基地局１３０から通信端末１４０Ｂへ送信させることにより、通信端末１４０Ｂとの通信経路における複数の帯域を有効に利用できる。
【０１１４】
図８は、通信制御システム１０による処理の一例を示す。第１基地局エリア１３５Ａに存在する通信端末１４０Ｂは、第１基地局エリア１３５Ａから、第１基地局エリア１３５Ａと第２基地局エリア１３５Ｂとが重複する重複エリアに移動する。図８に示すｔ１は、通信端末１４０Ｂが第１基地局エリア１３５Ａから上記重複エリアに移動したタイミングを示す。
【０１１５】
図８に示す例では、第１無線基地局１３０Ａは、第１無線送信部およびアンテナをそれぞれ２つ有する。また、第２無線基地局１３０Ｂは、第２無線送信部およびアンテナをそれぞれ２つ有する。第１付加装置１２０Ａは、２つの第１無線送信部のそれぞれに接続される。第２付加装置１２０Ｂは、２つの第２無線送信部のそれぞれに接続される。
【０１１６】
通信端末１４０Ｂが第１基地局エリア１３５Ａに存在するとき、ＳＡＥ  ＧＷ１００は、通信端末１４０Ｂが第１無線基地局１３０Ａからデータを受信できることを検出する。これによりＳＡＥ  ＧＷ１００は、通信端末１４０Ｂに送信すべきデータＢ１−Ｂ３を、第１無線基地局１３０Ａに向けて送信する。
【０１１７】
ＳＡＥ  ＧＷ１００と第１無線基地局１３０Ａとの通信経路上に設けられた第１付加装置１２０Ａは、ＳＡＥ  ＧＷ１００から送信されたデータＢ１−Ｂ３を受信する。第１付加装置１２０Ａは、通信端末１４０Ｂが第１無線基地局１３０Ａからデータを受信できることを検出する。
【０１１８】
これにより、第１付加装置１２０Ａは、データＢ´１−Ｂ´３を、一方の第１無線送信部に送信する。また、第１付加装置１２０Ａは、データＢ´´１−Ｂ´´３を、他方の第１無線送信部に送信する。
【０１１９】
第１付加装置１２０Ａは、ＳＡＥ  ＧＷ１００から送信されたデータＢ１−Ｂ３を、そのままデータＢ´１−Ｂ´３として、一方の第１無線送信部に送信してもよい。また、第１付加装置１２０Ａは、ＳＡＥ  ＧＷ１００から送信されたデータＢ１−Ｂを、そのままデータＢ´´１−Ｂ´´３として、他方の第１無線送信部に送信してもよい。
【０１２０】
また、第１付加装置１２０Ａは、ＳＡＥ  ＧＷ１００から送信されたデータＢ１−Ｂ３を、符号化することにより、符号化されたデータＢ´１−Ｂ´３および符号化されたデータＢ´´１−Ｂ´´３を生成してもよい。そして、第１付加装置１２０Ａは、符号化されたデータＢ´１−Ｂ´３を、一方の第１無線送信部に送信してもよい。また、第１付加装置１２０Ａは、符号化されたデータＢ´´１−Ｂ´´３を、他方の第１無線送信部に送信してもよい。
【０１２１】
第１付加装置１２０Ａまたは協調送信制御装置１１０が算出した送信タイミング時刻に達したタイミングで、第１付加装置１２０Ａは、送信タイミング信号を双方の第１無線送信部に送信する。これにより、双方の第１無線送信部は、同時に、データＢ´１−Ｂ´３およびデータＢ´´１−Ｂ´´３を通信端末１４０Ｂに送信する。
【０１２２】
通信端末１４０Ｂは、双方の第１無線送信部からデータＢ´１−Ｂ´３およびデータＢ´´１−Ｂ´´３を受信する。通信端末１４０Ｂは、受信したデータＢ´１−Ｂ´３およびデータＢ´´１−Ｂ´´３をデータＢ１−Ｂ３として再生する。通信端末１４０Ｂは、受信したデータＢ´１−Ｂ´３およびデータＢ´´１−Ｂ´´３から、データＢ１−Ｂ３を復号してもよい。そして、通信端末１４０Ｂは、復号されたデータＢ１−Ｂ３を再生してもよい。
【０１２３】
通信端末１４０Ｂが第１基地局エリア１３５Ａから上記重複エリアに移動することにより、ＳＡＥ  ＧＷ１００は、通信端末１４０Ｂが第１無線基地局１３０Ａと第２無線基地局１３０Ｂとの双方からデータを受信できることを検出する。ＳＡＥ  ＧＷ１００は、第１無線基地局１３０Ａと第２無線基地局１３０Ｂとのうち、第１無線基地局１３０Ａを、通信端末１４０Ｂに対して強い電波を発することができる無線基地局として特定する。これにより、ＳＡＥ  ＧＷ１００は、通信端末１４０Ｂに送信すべきデータＢ４、Ｂ５を、第１無線基地局１３０Ａに向けて送信する。
【０１２４】
第１付加装置１２０Ａは、ＳＡＥ  ＧＷ１００から送信されたデータＢ４、Ｂ５を受信する。第１付加装置１２０Ａは、通信端末１４０Ｂが第１無線基地局１３０Ａと第２無線基地局１３０Ｂとの双方からデータを受信できることを検出する。
【０１２５】
これにより、第１付加装置１２０Ａは、データＢ´４、Ｂ´５を、一方の第１無線送信部に送信する。また、第１付加装置１２０Ａは、データＢ´´４、Ｂ´´５を、他方の第１無線送信部に送信する。同時に、第１付加装置１２０Ａは、データＢ´４、Ｂ´５およびデータＢ´´４、Ｂ´´５を、第２付加装置１２０Ｂに送信する。
【０１２６】
第１付加装置１２０Ａは、ＳＡＥ  ＧＷ１００から送信されたデータＢ４、Ｂ５を、そのままデータＢ´４、Ｂ´５として、一方の第１無線送信部および第２付加装置１２０Ｂに送信してもよい。また、第１付加装置１２０Ａは、ＳＡＥ  ＧＷ１００から送信されたデータＢ４、Ｂ５を、そのままデータＢ´´４、Ｂ´´５として、他方の第１無線送信部および第２付加装置１２０Ｂに送信してもよい。
【０１２７】
また、第１付加装置１２０Ａは、ＳＡＥ  ＧＷ１００から送信されたデータＢ４、Ｂ５を、符号化することにより、符号化されたデータＢ´４、Ｂ´５および符号化されたデータＢ´´４、Ｂ´´５を生成してもよい。そして、第１付加装置１２０Ａは、符号化されたデータＢ´４、Ｂ´５を、一方の第１無線送信部および第２付加装置１２０Ｂに送信してもよい。また、第１付加装置１２０Ａは、符号化されたデータＢ´´４、Ｂ´´５を、他方の第１無線送信部および第２付加装置１２０Ｂに送信してもよい。
【０１２８】
第１付加装置１２０Ａまたは協調送信制御装置１１０が算出した送信タイミング時刻に達するまでに、第２付加装置１２０Ｂは、データＢ´４、Ｂ´５を、一方の第２無線送信部に送信する。また、第２付加装置１２０Ｂは、データＢ´´４、Ｂ´´５を、他方の第２無線送信部に送信する。
【０１２９】
第１付加装置１２０Ａまたは協調送信制御装置１１０が算出した送信タイミング時刻に達したタイミングで、第１付加装置１２０Ａは、送信タイミング信号を双方の第１無線送信部に送信する。同時に、第２付加装置１２０Ｂは、送信タイミング信号を双方の第２無線送信部に送信する。これにより、双方の第１無線送信部および双方の第２無線送信部は、同時に、データＢ´４、Ｂ´５およびデータＢ´´４、Ｂ´´５を通信端末１４０Ｂに送信する。
【０１３０】
通信端末１４０Ｂは、双方の第１無線送信部および双方の第２無線送信部からデータＢ´４、Ｂ´５およびデータＢ´´４、Ｂ´´５を受信する。通信端末１４０Ｂは、受信したデータＢ´４、Ｂ´５およびデータＢ´´４、Ｂ´´５をデータＢ４、Ｂ５として再生する。通信端末１４０Ｂは、受信したデータＢ´４、Ｂ´５およびデータＢ´´４、Ｂ´´５から、データＢ４、Ｂ５を復号してもよい。そして、通信端末１４０Ｂは、復号されたデータＢ４、Ｂ５を再生してもよい。
【０１３１】
このように、本実施形態の通信制御システム１０によれば、通信端末１４０Ｂに対して、複数の無線送信部から、同時にデータを送信させることができる。通信制御システム１０は、複数の無線送信部から通信端末１４０Ｂへ送信させる複数のデータの周波数を同一とすることにより、通信端末１４０Ｂが受信するデータの電波強度を高めることができる。また、通信制御システム１０は、複数の符号化データを生成して、生成した複数の符号化データを、同時に複数の無線送信部から通信端末１４０Ｂへ送信させることにより、通信端末１４０Ｂとの通信経路における複数の帯域を有効に利用できる。
【０１３２】
図９は、通信端末１４０に送信されたデータの電波強度の一例を示す。図９（ａ）は、第１無線基地局１３０Ａまたは第２無線基地局１３０Ｂのいずれか一方が、通信端末１４０に対してデータを送信した場合の、データの電波強度を示す。図９（ａ）では、通信端末１４０が、第１基地局エリア１３５Ａと第２基地局エリア１３５Ｂとが重複する重複エリアに存在する場合であっても、第１無線基地局１３０Ａまたは第２無線基地局１３０Ｂのいずれか一方が、データを送信する。このため、通信端末１４０は、第１無線基地局１３０Ａまたは第２無線基地局１３０Ｂのいずれか一方から送信された、電波強度が弱いデータを受信する。
【０１３３】
一方、図９（ｂ）は、第１無線基地局１３０Ａと第２無線基地局１３０Ｂとの双方が、通信端末１４０に対して同時にデータを送信した場合の、データの電波強度を示す。図９（ｂ）では、通信端末１４０が、第１基地局エリア１３５Ａと第２基地局エリア１３５Ｂとが重複する重複エリアに存在する場合、第１無線基地局１３０Ａと第２無線基地局１３０Ｂとの双方が、同時にデータを送信する。このため、通信端末１４０は、第１無線基地局１３０Ａおよび第２無線基地局１３０Ｂとの双方から送信された、電波強度が強いデータを受信できる。
【０１３４】
通信制御システム１０は、第１無線基地局１３０Ａが送信するデータの電波と第２無線基地局１３０Ｂが送信するデータの電波とを同じ周波数とすることにより、上記重複エリアにおけるデータの電波強度を高めることができる。また、通信制御システム１０は、第１無線基地局１３０Ａが送信するデータの電波と第２無線基地局１３０Ｂが送信するデータの電波とを異なる周波数とした場合であっても、通信端末１４０がそれぞれの周波数の電波を検出できるアンテナを備えることにより、通信データの伝播経路を多重化できる。
【０１３５】
図１０は、協調送信制御装置１１０および付加装置１２０のハードウェア構成の一例を示す。なお、協調送信制御装置１１０は、付加装置１２０と同様のハードウェア構成を有する。このため、協調送信制御装置１１０のハードウェア構成の説明を省略する。
【０１３６】
付加装置１２０は、ホスト・コントローラ１５８２により相互に接続されるＣＰＵ１５０５、ＲＡＭ１５２０、グラフィック・コントローラ１５７５、および表示装置１５８０を有するＣＰＵ周辺部を備える。また、付加装置１２０は、Ｉ／Ｏ（入出力）コントローラ１５８４によりホスト・コントローラ１５８２に接続される通信Ｉ／Ｆ１５３０、ハードディスクドライブ１５４０、およびＣＤ−ＲＯＭドライブ１５６０を有する入出力部を備える。さらに、付加装置１２０は、Ｉ／Ｏコントローラ１５８４に接続されるＲＯＭ１５１０、ＦＤ（フレキシブルディスク）ドライブ１５５０、およびＩ／Ｏ（入出力）チップ１５７０を有するレガシー入出力部を備える。
【０１３７】
ホスト・コントローラ１５８２は、ＲＡＭ１５２０と、高転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【０１３８】
Ｉ／Ｏコントローラ１５８４は、ホスト・コントローラ１５８２と、比較的高速な入出力装置である通信Ｉ／Ｆ１５３０、ハードディスクドライブ１５４０、ＣＤ−ＲＯＭドライブ１５６０を接続する。通信Ｉ／Ｆ１５３０は、ネットワークを介して外部１５９８と通信する。ハードディスクドライブ１５４０は、ＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【０１３９】
また、Ｉ／Ｏコントローラ１５８４には、ＲＯＭ１５１０と、ＦＤドライブ１５５０、およびＩ／Ｏチップ１５７０の比較的低速な入出力装置とが接続される。ＲＯＭ１５１０は、付加装置１２０の起動時にＣＰＵ１５０５が実行するブート・プログラム、付加装置１２０のハードウェアに依存するプログラム等を格納する。ＦＤドライブ１５５０は、フレキシブルディスク１５９０からプログラムまたはデータを読み取り、ＲＡＭ１５２０を介してハードディスクドライブ１５４０に提供する。Ｉ／Ｏチップ１５７０は、ＦＤドライブ１５５０、例えばパラレル・ポート、シリアル・ポート、キーボード・ポート、マウス・ポート等を介して各種の入出力装置を接続する。
【０１４０】
ＲＡＭ１５２０を介してハードディスクドライブ１５４０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して付加装置１２０内のハードディスクドライブ１５４０にインストールされ、ＣＰＵ１５０５において実行される。付加装置１２０にインストールされて実行されるプログラムは、ＣＰＵ１５０５等に働きかけて、付加装置１２０を、図１から図９にかけて説明した、各部として機能させる。
【０１４１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【０１４２】
【図１】実施形態に係る通信制御システムの一例を示す。
【図２】実施形態に係る第１付加装置１２０Ａの機能構成例を示す。
【図３】実施形態に係る通信制御システムの他の一例を示す。
【図４】実施形態に係る第１付加装置１２０Ａの他の機能構成例を示す。
【図５】実施形態に係る協調送信制御装置１１０の機能構成例を示す。
【図６】通信制御システム１０による処理の一例を示す。
【図７】通信制御システム１０による処理の他の一例を示す。
【図８】通信制御システム１０による処理の他の一例を示す。
【図９】通信端末１４０に送信されたデータの電波強度の一例を示す。
【図１０】協調送信制御装置１１０および付加装置１２０のハードウェア構成の一例を示す。
【符号の説明】
【０１４３】
１０  通信制御システム
１００  ＳＡＥ  ＧＷ
１１５  端末移動情報
１２０Ａ  第１付加装置
１２０Ｂ  第２付加装置
１３０Ａ  第１無線基地局
１３０Ｂ  第２無線基地局
１３５Ａ  第１基地局エリア
１３５Ｂ  第２基地局エリア
１４０Ａ  通信端末
１４０Ｂ  通信端末
１４０Ｃ  通信端末
２０２  データ受信部
２０４  データ送信部
２０６  符号化データ生成部
２０８  送信可否判断部
２１０  送信方法決定部
２１２  伝送遅延時間計測部
２１４  送信タイミング算出部
２１６  外部クロック受信部
２１８  高精度時間同期部
２２０  同期制御部
２２２  ネットワークＩ／Ｆ
２２４  ネットワークＩ／Ｆ
２２６  同期用Ｉ／Ｆ
４０２  送信タイミング供給部
５０６  伝送遅延時間計測部
５０８  外部クロック受信部
５１０  高精度時間同期部
５１２  送信タイミング算出部
５１４  同期制御部
５１６  ネットワークＩ／Ｆ
１５０５  ＣＰＵ
１５１０  ＲＯＭ
１５２０  ＲＡＭ
１５３０  通信Ｉ／Ｆ
１５４０  ハードディスクドライブ
１５５０  ＦＤドライブ
１５６０  ＣＤ−ＲＯＭドライブ
１５７０  Ｉ／Ｏチップ
１５７５  グラフィック・コントローラ
１５８０  表示装置
１５８２  ホスト・コントローラ
１５８４  Ｉ／Ｏコントローラ
１５９０  フレキシブルディスク
１５９５  ＣＤ−ＲＯＭ
１５９８  外部
【図１】
0004951771.tif 000002
【図２】
0004951771.tif 000003
【図３】
0004951771.tif 000004
【図４】
0004951771.tif 000005
【図５】
0004951771.tif 000006
【図６】
0004951771.tif 000007
【図７】
0004951771.tif 000008
【図８】
0004951771.tif 000009
【図９】
0004951771.tif 000010
【図１０】
0004951771.tif 000011